(57)【要約】      （修正有）【課題】簡単な構造で、外観を損ねることなく、照射される光の広がりを周囲に広げる発光部分をソールに有する、スポーツシューズなどの靴を提供する。【解決手段】接合側面ファスナー４を被接合側面ファスナー５に接合することでストラップ３にて足を締め付け固定する靴１である。アッパー２下側のソール６を、透光性材料で形成し、ソール６は、複数の発光素子７を周面付近に設け、電源としてのバッテリを備え発光素子７を点灯制御する制御ユニットを中央部にそれぞれ内蔵する。ストラップ３の下面側に開孔３ａを設け、開孔３ａを通じてバッテリを充電するためのＵＳＢ差込口１０を外部に露出可能に設けている。【選択図】図２
0003210703.tif 000002
【実用新案登録請求の範囲】
【請求項１】
基端部がアッパーの一側部に取り付けられたストラップを有し、前記ストラップの裏面側に接合側面ファスナーが設けられ、前記アッパーの他側部に前記接合側面ファスナーが着脱可能に接合される被接合側面ファスナーが設けられ、前記接合側面ファスナーを前記被接合側面ファスナーに接合することで前記ストラップにて足が締め付け固定される靴であって、
前記アッパー下側のソールは、透光性材料で形成されるとともに、周面付近に複数の発光素子が、中央部に制御ユニットがそれぞれ内蔵されてなり、
前記制御ユニットは、バッテリと、前記バッテリの充電回路と、前記バッテリを電源として前記発光素子を点灯制御する点灯制御回路とを有するものであり、
前記ストラップの下面側に開孔が設けられ、前記開孔を通じて前記バッテリを充電するためのＵＳＢ差込口が露出可能に設けられていることを特徴とする、靴。
【請求項２】
前記ストラップは、内部に通路部分を有する袋状に形成されたものであり、
前記通路部分を通じて前記バッテリの充電回路と前記ＵＳＢ差込口とを電気的に接続する配線が設けられている、請求項１記載の靴。
【請求項３】
前記ストラップは、上面側に押しボタンが設けられ、
前記ストラップは、内部に通路部分を有する袋状に形成されたものであり、
前記通路部分を通じて前記制御ユニットと前記押しボタンとを電気的に接続する配線が設けられ、
前記押しボタンを押すことにより、前記バッテリを電源として前記発光素子を点灯制御する構成とされている、請求項２に記載の靴。
【請求項４】
前記押しボタンは、ケーシングに取り付けられてボタンユニットとされ、
前記ケーシングに前記ＵＳＢ差込口が設けられている、請求項３に記載の靴。
【請求項５】
前記複数の発光素子は、可撓性を有する帯状部材に間隔をあけて固定され、
前記帯状部材が、前記ソール内部で周面に沿って前記発光素子が外向きになるように内蔵されている、請求項１〜４のいずれか１つに記載の靴。
【請求項６】
前記ソールは、周囲に形成された第１凹部と、中央部に形成された第２凹部とを有し、
前記第１凹部に前記帯状部材が嵌め込まれ、前記第２凹部に前記制御ユニットが嵌め込まれている、請求項５に記載の靴。
【請求項７】
前記制御ユニットは、さらに、予め複数の発光素子の点灯パターンを複数種類記憶するメモリを有し、
前記点灯制御回路は、前記メモリより前記押しボタンの押し回数に応じた点灯パターンを選択し、その点灯パターンに基づいて前記複数の発光素子の点灯を制御する構成とされている、請求項３又は４に記載の靴。
【請求項８】
アッパー下側のソールは、透光性材料で形成されるとともに、周面付近に複数の発光素子が、中央部に制御ユニットがそれぞれ内蔵されてなる靴であって、
前記制御ユニットは、バッテリと、前記バッテリの充電回路と、前記バッテリを電源として前記発光素子を点灯制御する点灯制御回路とを有するものであり、
前記アッパーは表皮と裏皮とを有し、前記裏皮に開孔が設けられ、前記開孔を通じて前記バッテリを充電するためのＵＳＢ差込口が露出可能に設けられていることを特徴とする、靴。
【請求項９】
前記アッパーは、前記表皮側に押しボタンが設けられ、
前記アッパーの表皮と裏皮との間を通じて前記制御ユニットと前記押しボタンとを電気的に接続する配線が設けられ、
前記押しボタンを押すことにより、前記バッテリを電源として前記発光素子を点灯制御する構成とされている、請求項８に記載の靴。
【請求項１０】
前記押しボタンは、ケーシングに取り付けられてボタンユニットとされ、
前記ケーシングに前記ＵＳＢ差込口が設けられている、請求項９に記載の靴。
【請求項１１】
前記押しボタンは、前記アッパーの側面外側の鳩目付近、くるぶしの下付近、踵付近あるいは前記アッパーの舌部分に配置されている、請求項９又は１０に記載の靴。
【考案の詳細な説明】
【技術分野】
【０００１】
本考案は、ＬＥＤなどの発光素子を利用した発光部分をソールに有する、スポーツシューズなどの靴に関するものである。
【背景技術】
【０００２】
光透過性材料によって厚底に形成された履物本体を備え、この履物本体の内部には空間部が形成されているとともに、この空間部内に、履物本体の外部へ向けて光を照射する発光体と、前記発光体に駆動電力を供給する電力供給手段と、前記発光体への駆動電力の供給形態を変化させて発光体の発光形態を変化させるコントロールユニットとが組み込まれている履物が知られている（例えば、特許文献１参照）。
【０００３】
前記特許文献１記載の履物は、照射される光の広がりを広くして視認可能な方向を広げ、また、光の発光形態を変化させることにより、装飾性を高めるようにしている。
【先行技術文献】
【特許文献】
【０００４】
【特許文献１】実用新案登録第３１９６２５１号公報
【考案の概要】
【考案が解決しようとする課題】
【０００５】
前記特許文献１に記載の履物は、発光体を空間部内に組み込み、照射される光の広がりを広くして視認可能な方向を広げるために、靴底となる履物本体を透明な合成樹脂の成形品で構成するとともに、その表面にはダイヤモンドカット状の形状を有する突部を多数形成するようにしているので、履物本体の構造が複雑になる。
【０００６】
また、電力供給手段の二次電池を充電する充電手段を、前記履物本体の外面に露出させられたＵＳＢ差込口を介して外部電源に接続するようにしているので、露出しているＵＳＢ差込口によって外観を損ねる。
【０００７】
本考案は、簡単な構造で、外観を損ねることなく、照射される光の広がりを外向きに周囲に広げることができる靴を提供することを目的とする。
【課題を解決するための手段】
【０００８】
本考案に係る一の態様の靴は、基端部がアッパーの一側部に取り付けられたストラップを有し、前記ストラップの裏面側に接合側面ファスナーが設けられ、前記アッパーの他側部に前記接合側面ファスナーが着脱可能に接合される被接合側面ファスナーが設けられ、前記接合側面ファスナーを前記被接合側面ファスナーに接合することで前記ストラップにて足が締め付け固定される靴であって、前記アッパー下側のソールは、透光性材料で形成されるとともに、周面付近に複数の発光素子が、中央部に制御ユニットがそれぞれ内蔵されてなり、前記制御ユニットは、バッテリと、前記バッテリの充電回路と、前記バッテリを電源として前記発光素子を点灯制御する点灯制御回路とを有するものであり、前記ストラップの下面側に開孔が設けられ、前記開孔を通じて前記バッテリを充電するためのＵＳＢ差込口が露出可能に設けられていることを特徴とする。
【０００９】
このようにすれば、アッパー下側のソールが、透光性材料で成形され、前記ソールには周面付近に複数の発光素子が、中央部に電源としてのバッテリを備え前記発光素子を点灯制御する制御ユニットがそれぞれ内蔵され、前記ストラップの下面側の開孔を通じて、前記バッテリを充電するためのＵＳＢ差込口が露出可能に設けられているので、簡単な構造で、外観を損ねることなく、照射される光の広がりを外向きに周囲に広げることができる。
【００１０】
また、この靴は、前記ストラップが内部に通路部分を有する袋状に形成されたものであり、前記通路部分を通じて前記バッテリの充電回路と前記ＵＳＢ差込口とを電気的に接続する配線が設けられている、ことが望ましい。
【００１１】
このようにすれば、ストラップの通路部分を利用して、バッテリの充電回路とＵＳＢ差込口とを電気的に接続する配線を、外観を損ねることなく、配置することができる。
【００１２】
また、この靴は、前記ストラップが上面側に押しボタンが設けられ、前記ストラップは、内部に通路部分を有する袋状に形成されたものであり、前記通路部分を通じて前記制御ユニットと前記押しボタンとを電気的に接続する配線が設けられ、前記押しボタンを押すことにより、前記バッテリを電源として前記発光素子を点灯制御する構成とされている、ことが望ましい。
【００１３】
このようにすれば、ストラップの通路部分を利用して、前記制御ユニットと前記押しボタンとを電気的に接続する配線を、外観を損ねることなく、配置することができる。また、押しボタンをストラップの上面側に設けているので、押しボタンの位置の視認が容易である。
【００１４】
また、この靴は、前記押しボタンがケーシングに取り付けられてボタンユニットとされ、前記ケーシングに前記ＵＳＢ差込口が設けられている、ことが望ましい。
このようにすれば、ボタンユニットを取り付けることで、押しボタンとＵＳＢ差込口とを同時に取り付けることができる。
【００１５】
また、この靴は、前記複数の発光素子が可撓性を有する帯状部材に間隔をあけて固定され、前記帯状部材が、前記ソール内部で周面に沿って前記発光素子が外向きになるように内蔵されている、ことが望ましい。
【００１６】
このようにすれば、帯状部材を利用することで、ソールの周面付近に複数の発光素子を、簡単に設けることができる。
【００１７】
また、この靴は、前記ソールが周囲に形成された第１凹部と、中央部に形成された第２凹部とを有し、前記第１凹部に前記帯状部材が嵌め込まれ、前記第２凹部に前記制御ユニットが嵌め込まれている、ことが望ましい。
【００１８】
このようにすれば、ソールへの帯状部材（発光素子）や制御ユニットの位置決めと取付けとを容易に行える。
【００１９】
また、この靴は、前記制御ユニットがさらに複数の発光素子の点灯パターンを複数種類記憶するメモリを有し、前記点灯制御回路は、前記メモリより前記押しボタンの押し回数に応じた点灯パターンを選択し、その点灯パターンに基づいて前記複数の発光素子の点灯を制御する構成とされている、ことが望ましい。
【００２０】
このようにすれば、押しボタンの押し回数を変えることで、メモリに記憶されている複数種類の点灯パターンから、前記押しボタンの押し回数に応じた点灯パターンを選択し、複数の発光素子の点灯パターンを簡単に変更することができる。
【００２１】
また、この靴は、アッパー下側のソールが、透光性材料で形成されるとともに、周面付近に複数の発光素子が、中央部に制御ユニットがそれぞれ内蔵されてなる靴であって、前記制御ユニットは、バッテリと、前記バッテリの充電回路と、前記バッテリを電源として前記発光素子を点灯制御する点灯制御回路とを有するものであり、前記アッパーは表皮と裏皮とを有し、前記裏皮に開孔が設けられ、前記開孔を通じて前記バッテリを充電するためのＵＳＢ差込口が露出可能に設けられていることを特徴とする構成としてもよい。
【００２２】
このようにすれば、アッパーの裏皮の開孔を通じて、バッテリを充電するためのＵＳＢ差込口が露出可能に設けられているので、簡単な構造で、外観を損ねることなく、照射される光の広がりを外向きに周囲に広げることができる。
【００２３】
また、この靴は、前記アッパーが、前記表皮側に押しボタンが設けられ、前記アッパーの表皮と裏皮との間を通じて前記制御ユニットと前記押しボタンとを電気的に接続する配線が設けられ、前記押しボタンを押すことにより、前記バッテリを電源として前記発光素子を点灯制御する構成とされている、ことが望ましい。
【００２４】
また、この靴は、前記押しボタンが、ケーシングに取り付けられてボタンユニットとされ、前記ケーシングに前記ＵＳＢ差込口が設けられている、ことが望ましい。
【００２５】
また、この靴は、前記押しボタンが、前記アッパーの側面外側の鳩目付近、くるぶしの下付近、踵付近あるいは前記アッパーの舌部分に配置されている、ことが望ましい。ここで、舌部分とは、アッパーの上部中央付近についている砂よけのことであり、タンやベロと称される場合もある（図９の２ｂ参照）。
【考案の効果】
【００２６】
本考案は、アッパー下側のソールを透光性材料で成形し、前記ソールの周面付近に複数の発光素子を、中央部にバッテリを電源として前記発光素子を点灯制御する制御ユニットをそれぞれ内蔵させ、前記ストラップの下面側に開孔を設け、前記開孔を通じて前記バッテリを充電するためのＵＳＢ差込口を露出可能に設けているので、簡単な構造で、外観を損ねたり特殊な外観にしたりすることなく、照射される光の広がりを外向きに周囲に広げ、ソール全体を光らせることができる。
【図面の簡単な説明】
【００２７】
【図１】本考案に係る靴の斜視図である。
【図２】ストラップによる接合を解除した状態の斜視図である。
【図３】制御ユニットと発光素子との関係を示す説明図である。
【図４】制御ユニットと発光素子（帯状部材）との、ソールへの取付状態を示す説明図である。
【図５】充電のためのＵＳＢケーブルを示す説明図である。
【図６】制御ユニットと発光素子との関係を示す変形例についての図３と同様の図である。
【図７】押しボタンの取付位置についての他の例を示す図である。
【図８】押しボタンの取付位置についてのさらに他の例を示す図である。
【図９】押しボタンの取付位置についての別の例を示す図である。
【考案を実施するための形態】
【００２８】
以下、本考案の実施の形態を図面に沿って説明する。
図１は本考案に係る靴の斜視図、図２はストラップによる接合を解除した状態の斜視図である。
【００２９】
図１及び図２に示すように、本考案に係る靴１は、基端部がアッパー２の一側部に取り付けられたストラップ３を有し、ストラップ３の裏面側に接合側面ファスナー４が全体に亘って設けられ、アッパー２の他側部に接合側面ファスナー４が着脱可能に接合される被接合側面ファスナー５が部分的に設けられ、接合側面ファスナー４を被接合側面ファスナー５に接合することでストラップ３にて足を締め付け、前記足を靴１内に固定する構造となっている。
【００３０】
アッパー２下側に設けられるソール６は、その内部が中空であって、周面付近に周面に沿って複数の発光素子７（例えば，ＬＥＤ）が外向きに設けられ、中央部に制御ユニット８が設けられている。このソール６は、発光素子７が発する光が通過できるように、発光素子７が発する光を通過させる透光性材料で形成されている。ここで、制御ユニット８は、具体的に図示していないが、バッテリと、前記バッテリの充電回路と、前記バッテリを電源として発光素子７を点灯制御する点灯制御回路とを有するものである。また、制御ユニット８は、さらに、予め複数の発光素子の点灯パターンを複数種類記憶するメモリも有している。
【００３１】
ストラップ３の上面側に押しボタン９が設けられる一方、下面側に開孔３ａが設けられている。そして、ストラップ３には、この開孔３ａを通じて制御ユニット８の前記バッテリを充電するためのＵＳＢ差込口１０が外部に露出可能に設けられている。ここで、押しボタン９は、ケーシング１３に取り付けられてボタンユニット１４とされ、このケーシング１３にＵＳＢ差込口１０が設けられている。つまり、ボタンユニット１４が、押しボタン９と、ＵＳＢ差込口１０とを備える。
【００３２】
複数の発光素子７は、例えば図３に示すように、可撓性を有する帯状部材１１の一面側に間隔をあけて固定され、それら複数の発光素子７が配線１２Ａを介して制御ユニット１２内の前記点灯制御回路に接続されている。
【００３３】
前記点灯制御回路及び前記バッテリの充電回路には、別の配線１２Ｂを介して、押しボタン９及びＵＳＢ差込口１０が接続されている。前記点灯制御回路は、前記メモリより押しボタン９の押し回数に応じた点灯パターンを選択し、その点灯パターンに基づいて前記複数の発光素子７の点灯を制御する構成とされている。
【００３４】
つまり、押しボタン９を繰り返し押すことで、押し信号が前記点灯制御回路に順次送られ、その押し回数（押し信号の数）に基づいて、前記点灯制御回路により、前記メモリに記憶されている複数種類の点灯パターン（例えば、１１パターン）うちから前記押し回数に対応した点灯パターンが選択され、その選択された点灯パターンに従って複数の発光素子７が点灯制御される。
【００３５】
また、ソール６は、例えば図４に示すように、周囲に形成された環状の第１凹部６ａと、中央部に形成された第２凹部６ｂとを有するもので、第１凹部６ａには帯状部材１１が、発光素子７が外向きになるように嵌め込まれ、また、第２凹部６ｂには制御ユニット８が嵌め込まれている。
【００３６】
これにより、ソール６がアッパー２に取り付けられた状態で、発光素子７（帯状部材１１）や制御ユニット８が、歩行時においても、所定の位置に移動不能に固定されることになる。発光素子７（帯状部材１１）や制御ユニット８から延びる配線１２Ａ，１２Ｂは、ソール６内の他の空所部分を利用して配置される。
【００３７】
さらに、ストラップ３は、内部に通路部分を有する袋状に形成されたものであり、その通路部分に、制御ユニット８とボタンユニット１４（押しボタン９、ＵＳＢ差込口１０）とを電気的に接続する配線１２Ｂが配置されている。
【００３８】
靴は左右で一足であるので、図５に示すように、充電のためのＵＳＢケーブル２１としては、左右の靴それぞれのＵＳＢ差込口１０に接合される２つのＵＳＢミニプラグ２１ａと、パソコンのＵＳＢポートなどに接続される１つのＵＳＢプラグ２１ｂと、それらを接続するケーブル２１ｃとを有するものを用いることで、左右の靴を同時に充電することができる。
【００３９】
また、本考案は、前述したものに制限されることなく、次のように変更して実施することができる。
【００４０】
複数の発光素子７は、ソール６の周面に帯状部材１１を利用して取り付けるのではなく、例えば図６に示すように、発光素子７Ａが別々に配線１２Ｃを通じて制御ユニット８Ａに接続され、各発光素子７が間隔をあけてソール６の周面に沿って配置することで、各発光素子７Ａを取り付けることもできる。この場合は、第１凹部６ａに代えて、各発光素子７Ａごとの凹部がソール６の周面に沿って設けられることになる。
【００４１】
また、この場合、ソール６の側面に複数の臼状凹部を設け、この臼状凹部の中心に開口を形成し、それぞれの臼状凹部の開口より、各発光素子７Ａを外側に露出するように取り付ける構成としてもよい。また、靴１はスポーツシューズに限らず、靴の種類は制限されない。
【００４２】
さらに、押しボタン９を設ける位置は、ストラップに限らず、例えば図７〜図９に示すように、靴１Ａのアッパー２の側面外側の鳩目２ａ付近の位置Ｐ１、くるぶしの下付近の位置Ｐ２、踵付近の位置Ｐ３あるいはアッパー２の舌部分２ｂの位置Ｐ４に配置することも可能である。この場合、アッパー２は表皮と裏皮とを有するので、前記裏皮に開孔を設け、その開孔を通じてバッテリを充電するためのＵＳＢ差込口が露出可能に設けることで、簡単な構造で、外観を損ねることなく、照射される光の広がりを外向きに周囲に広げることができる。
【００４３】
そして、アッパー２は、表皮側に押しボタン９が設けられ、アッパー２の表皮と裏皮との間を通じて制御ユニット８，８Ａと押しボタン９とを電気的に接続する配線が設けられ、押しボタン９を押すことにより、前記バッテリを電源として発光素子７，７Ａを点灯制御する構成とされている。押しボタン９は、前述した実施の形態と同様に、ケーシングに取り付けられてボタンユニットとされ、ケーシングに前記ＵＳＢ差込口が設けられている。
【符号の説明】
【００４４】
１，１Ａ  靴
２  アッパー
２ａ  鳩目
２ｂ  舌部分
３  ストラップ
３ａ  開孔
４  接合側面ファスナー
５  被接合側面ファスナー
６  ソール
６ａ  第１凹部
６ｂ  第２凹部
７，７Ａ  発光素子
８，８Ａ  制御ユニット
９  押しボタン
１０  ＵＳＢ差込口
１１  帯状部材
１２Ａ〜１２Ｃ  配線
２１  ＵＳＢケーブル
２１ａ  ＵＳＢミニプラグ
２１ｂ  ＵＳＢプラグ
【図１】
0003210703.tif 000003
【図２】
0003210703.tif 000004
【図３】
0003210703.tif 000005
【図４】
0003210703.tif 000006
【図５】
0003210703.tif 000007
【図６】
0003210703.tif 000008
【図７】
0003210703.tif 000009
【図８】
0003210703.tif 000010
【図９】
0003210703.tif 000011